【事件の表示】
　特願２００４−１８４９７「吸収性物品及びインナー吸収性物品」拒絶査定不服審判事件〔平成１７年８月１１日出願公開、特開２００５−２１１１３１〕について、次のとおり審決する。
【結　論】
　本件審判の請求は、成り立たない。
【理　由】
　１．手続の経緯
　本願は、平成１６年１月２７日の出願であって、平成２２年５月１０日付けで拒絶査定がなされ、これに対し、平成２２年８月１６日に拒絶査定不服審判の請求がなされたものである。その後、平成２３年４月１２日付けで当審から拒絶の理由を通知したところ、平成２３年６月２０日付けで特許請求の範囲と明細書を対象とする手続補正がなされたものである。
　
　２．本願発明
　本願の請求項１ないし２に係る発明は、平成２３年６月２０日付けで補正された特許請求の範囲、明細書及び図面の記載から見て、特許請求の範囲の請求項１ないし２に記載された事項によって特定されるものと認める。その請求項１の記載は、次のとおりである。（以下、請求項１に係る発明を「本願発明」という。）
「人体に当接する面に位置する透液性のトップシートと、前記トップシートと反対側の面に位置する不透液性のバックシートと、前記トップシートと前記バックシートとの間に介装される吸収体と、前記トップシート側に、前記吸収体の長手両側縁部に起立した立体ギャザーと、を備える吸収性物品において、
　前記立体ギャザーは、前記吸収体の長手両側縁部に略沿って前記トップシート側に折り返されたバックシートの折り返し部の両面を、前記トップシートが延出して包み込んで覆い、さらに前記トップシートが前記吸収体の側面を覆い、前記トップシートの接着起点部が前記吸収体の底面を覆う前記バックシートの幅方向両端部上に設けられることによって形成され、
　前記折り返し部の折り返し起点部近傍で前記吸収体の長手両側縁部に略沿って、前記トップシート側に折り返されて前記トップシート同士が接着された接着部が形成され、
　当該吸収性物品は、前記接着部が形成された状態で使用され、
　前記トップシートの前記吸収体の上面に位置する領域は透液性を有し、前記バックシートを覆う領域は不透液性を有することを特徴とする吸収性物品。」
　
　３．当審が通知した拒絶理由
　平成２３年４月１２日付けで当審が通知した拒絶の理由の概要は、次のとおりである。
「本件出願の請求項に係る発明は、その出願前に日本国内において頒布された下記の刊行物に記載された発明に基いて、その出願前にその発明の属する技術の分野における通常の知識を有する者が容易に発明をすることができたものであるから、特許法第２９条第２項の規定により特許を受けることができない。
　　　　　　　　　　　　　　　　　記
・引用例
　１．特表平８−５０３３９２号公報
　２．特開平１０−１３７２８４号公報　」
　
　４．引用例の記載事項
（１）当審の拒絶の理由に引用された、本願の出願前に頒布された刊行物である引用例１（特表平８−５０３３９２号公報）には、図面と共に次の記載がある。
　ａ「本発明は、おむつ、失禁ガード、衛生ナプキン及び同類物品の如き吸収性物品……に関する。」（５頁４〜６行）
　ｂ「第１図は第２図の線Ｉ−Ｉで取った透視断面図であり、本発明の第１実施例による使い捨ておむつの一部を示し、このおむつは側方に延ばされた状態で示される；第２図は使用中に着用者から離れて位置する第１図のおむつの側部を示し、このおむつは平坦状態に縦方向に広げられており、図の左及び右半分はおむつが側方に延ばされる前及び後の状態を示す……」（６頁１３〜１８行）
　ｃ「おむつは内方及び外方ケーシングシート３、４の間に包被された吸収体２から成る吸収性ユニット１を含む。ケーシングシート３は液体透過性柔軟シート材料例えば、不織材料から作られ、且つ使用中に着用者に近接して位置するよう意図されている。外方ケーシングシート４は例えば可塑性シートの如き液体不透過性材料から作られる。吸収体２は例えば所謂超吸収性材料を付加されたセルロースフラッフの如き吸収性繊維材料を含むことができる。吸収体２は細長くされ、二つの相互に対向し且つ縦方向に互いに平行に延びる側縁５を有し、この側縁の一つだけが第１図及び第３図でそれぞれ見られ、これらの図は本質的におむつの４分の１を示す。」（６頁２０行〜７頁１行）
　ｄ「第１図及び第２図に示す好適実施例の場合、外方ケーシングシート４は吸収体２の側縁５で上へ折り畳まれ、前記シート４の縁部４ａは吸収体２の表面にわたり各縁５で起立する。内方ケーシングシート３は折り畳み部６が吸収体の各側縁５で形成され、この折り畳み部は外方ケーシングシート４の直立した縁部４ａを包含する。内方ケーシングシート３は縁部４ａの上方にスリーブ７を形成し、このスリーブは吸収性ユニット１の縦方向に延び且つその内部を予め延ばされた弾性素子８、例えばゴム糸、が延びる。折り畳み部６は吸収性ユニットから側方に流体が漏洩するのを防ぐ直立バリヤを形成する。」（７頁２〜１０行）
　ｅ「第１図に示すように、内方ケーシングシート３の材料はスリーブ６から縁部４ａの外側に沿って下方に延び、前記シート３の縦方向延出縁部３ａは吸収体２の下でケーシングシート４の外側に折り畳まれる。これに対応して、ケーシングシート３の縁部３ｂは、吸収性ユニット１の他方縁（第１図に示さず）からのケーシングシート４の下で折り畳まれる。縁部３ａ、３ｂは重畳し且つ吸収性ユニット１の下側で結合される。故に縁部は外方ケーシングシート４の外側で内方ケーシングシート３と同材料の更なる外方ケーシングシートを形成し、これによりおむつは改良された一体的外観を得、その外側は触感がより快適になる。しかし、内方ケーシングシート３は折り畳み部６の外側全体に沿って下方に延びる必要はなく、外方ケーシングシート４がおむつの外面で自由に位置する第３図で示す折り畳み形状を第１図及び第２図で示す本発明のおむつの実施例で代わりに使用できる。」（７頁１１〜２２行）
　ｆ　図１には、外方ケーシングシート４が、吸収体２に対して、内方ケーシングシート３とは反対側の面に位置していることが示されている。
　ｇ　また、図１、上記摘記事項ｄ及び上記摘記事項ｅから、吸収性ユニットから側方に流体が漏洩するのを防ぐ直立バリヤ（折り畳み部６）が、内方ケーシングシート３側に、吸収体２の長手両側縁部に起立していること、外方ケーシングシート４が、吸収体２の側縁５で上へ折り畳まれて直立した縁部４ａの両面を、内方ケーシングシート３が延出して包み込んで覆っていること、さらに、内方ケーシングシート３が吸収体２の側面を覆っていることが分かる。
　
（２）以上の記載事項並びに図１及び図２によれば、引用例１には、次の発明が記載されていると認められる。（以下、「引用発明」という。）
　　《引用発明》
　着用者に近接して位置する液体透過性の内方ケーシングシート３と、内方ケーシングシート３と反対側の面に位置する液体不透過性の外方ケーシングシート４と、内方及び外方ケーシングシート３、４の間に包被された吸収体２と、内方ケーシングシート３側に、吸収体２の長手両側縁部に起立した直立バリヤと、を備えるおむつにおいて、
　前記直立バリヤは、外方ケーシングシート４が、吸収体２の側縁５で上へ折り畳まれて直立した縁部４ａを形成し、該直立した縁部４ａの両面を、内方ケーシングシート３が延出して包み込んで覆い、
　さらに、内方ケーシングシート３が吸収体２の側面を覆い、内方ケーシングシート３の両縁部３ａ、３ｂは、外方ケーシングシート４の下で折り畳まれて重畳して結合され、
　内方ケーシングシート３の吸収体２の上面に位置する領域は液体透過性を有するおむつ。
　
　５．対比
　本願発明と引用発明とを対比すると、引用発明の「着用者に近接して位置する」は、本願発明の「人体に当接する面に位置する」に相当し、同様に、
　「液体透過性」は「透液性」に、
　「内方ケーシングシート３」は「トップシート」に、
　「液体不透過性」は「不透液性」に、
　「外方ケーシングシート４」は「バックシート」に、
　「内方及び外方ケーシングシート３、４の間に包被された」は「トップシートとバックシートとの間に介装される」に、
　「吸収体２」は「吸収体」に、
　「直立バリヤ」は「立体ギャザー」に、
　「外方ケーシングシート４が、吸収体２の側縁５で上へ折り畳まれて直立した縁部４ａ」は「吸収体の長手両側縁部に略沿って前記トップシート側に折り返されたバックシートの折り返し部」に、
　「おむつ」は「吸収性物品」に、
それぞれ相当する。
　また、引用発明で、内方ケーシングシート３の両縁部３ａ、３ｂは、外方ケーシングシート４の下で折り畳まれて重畳して結合されることと、本願発明でトップシートの接着起点部が吸収体の底面を覆うバックシートの幅方向両端部上に設けられることとは、トップシートの接着起点部が吸収体の底面を覆うバックシート上に設けられる限りにおいて一致する。
　
　したがって、本願発明と引用発明とは、できるだけ本願発明の記載に倣えば、次の一致点で一致する。
　　《一致点》
　人体に当接する面に位置する透液性のトップシートと、前記トップシートと反対側の面に位置する不透液性のバックシートと、前記トップシートと前記バックシートとの間に介装される吸収体と、前記トップシート側に、前記吸収体の長手両側縁部に起立した立体ギャザーと、を備える吸収性物品において、
　前記立体ギャザーは、前記吸収体の長手両側縁部に略沿って前記トップシート側に折り返されたバックシートの折り返し部の両面を、前記トップシートが延出して包み込んで覆い、さらに前記トップシートが前記吸収体の側面を覆い、前記トップシートの接着起点部が前記吸収体の底面を覆う前記バックシート上に設けられることによって形成され、
　前記トップシートの前記吸収体の上面に位置する領域は透液性を有する吸収性物品。
　
　そして、本願発明と引用発明とは、次の相違点１ないし相違点３で相違する。
　　《相違点１》
　本願発明では、バックシートの折り返し部の折り返し起点部近傍で、吸収体の長手両側縁部に略沿って、立体ギャザーがトップシート側に折り返されてトップシート同士が接着された接着部が形成され、吸収性物品は、前記接着部が形成された状態で使用されるのに対して、引用発明では、そのような接着部が形成されていない点。
　　《相違点２》
　本願発明では、トップシートの接着起点部が吸収体の底面を覆うバックシートの幅方向両端部上に設けられるのに対して、引用発明では、内方ケーシングシート３の両縁部３ａ、３ｂは、外方ケーシングシート４の下で折り畳まれて重畳して結合される点。
　　《相違点３》
　本願発明では、トップシートの、バックシートを覆う領域は不透液性を有するのに対して、引用発明では、そのように特定されていない点。
　
　６．相違点の検討
　そこで、上記相違点について検討する。
　　《相違点１について》
　当審の拒絶の理由に引用された、本願の出願前に頒布された刊行物である引用例２（特開平１０−１３７２８４号公報）には、吸収性物品の立体ギャザーに関する発明が記載されており、バックシート（防漏シート２）の折り返し部の折り返し起点部（折り返し縁９）近傍で、吸収体（吸収層３）の長手両側縁部に略沿って、立体ギャザー（サイドフラップ６）がトップシート側に折り返されて接着された接着部（固定部１１）が形成され、吸収性物品は、前記接着部が形成された状態で使用されることにより、立体ギャザーを立体的に立ち上がらせることが記載されている（段落０００３、０００８、００３２〜００３４、００４４を参照）。
　そうすると、引用例２に記載された、バックシートの折り返し部の折り返し起点部近傍で、吸収体の長手両側縁部に略沿って、立体ギャザーがトップシート側に折り返されて接着された接着部を形成し、その接着部が形成された状態で使用するという技術思想を、引用発明に適用することにより、相違点１に係る本願発明の構成とすることは、当業者が容易に推考し得たことである。
　　《相違点２について》
　バックシートに対するトップシートの接着起点部をどこにするかは、吸収性物品の装着感、材料の節約、製造の容易性などを考慮して、当業者が適宜決定すべき単なる設計的事項である。（例えば、特表２００３−５０６１５０号公報の図１１には、サイドフラップ４０（立体ギャザー）を形成するサイドパネル部材４２の接着起点部（基部縁４８）を、吸収体（吸収性コア３３）を覆うバックシート（裏面シート層３０）の幅方向両端部上に設けることが記載されている。）
　　《相違点３について》
　立体ギャザーを、不透液性を有するシートで形成したり、不透液処理したりすることは周知である（例えば、特開２００２−１１９５３６号公報の段落００２１、特開２００３−２６５５２１号公報の段落００５１、特開平１０−５２４５７号公報の段落００１４を参照）。したがって、引用発明の立体ギャザー部分である、トップシートのバックシートを覆う領域を、不透液性を有するものとすることは、当業者が適宜決定すべき単なる設計的事項である。
　そして、本願発明が奏する効果も、引用発明、引用例２記載の事項及び周知の事項から当業者が予測できたものであって、格別顕著なものとはいえない。
　したがって、本願発明は、引用発明、引用例２記載の事項及び周知の事項に基いて、当業者が容易に発明をすることができたものであるから、特許法第２９条第２項の規定により、特許を受けることができないものである。
　
　７．むすび
　以上のとおり、本願発明は、特許法第２９条第２項の規定により特許を受けることができないものであるから、他の請求項に係る発明について検討するまでもなく、本願は拒絶されるべきものである。
　よって、結論のとおり審決する。